(57)【特許請求の範囲】
【請求項１】
吊り具本体と、前記吊り具本体に取り付けられる紐状固定部材とを含み、紐なし景品を吊り下げる景品吊り具であって、
前記吊り具本体は、前記景品の背側にあたる背当て部と、前記背当て部に設けられゲーム機の景品掛け部材に掛けるフック部と、前記背当て部に設けられ前記紐状固定部材を取り付ける取付部とを備え、
前記紐状固定部材は、前記景品の側部に掛ける側部固定部と、前記景品の底部に掛ける底部固定部を備えること
を特徴とする景品吊り具。
【請求項２】
請求項１に記載の景品吊り具において、
前記吊り具本体は、前記取付部が前記背当て部の複数個所に設けられており、前記紐状固定部材の取付位置を選択できること
を特徴とする景品吊り具。
【請求項３】
請求項１又は請求項２に記載の景品吊り具において、
前記紐状固定部材は、伸縮性があること
を特徴とする景品吊り具。
【請求項４】
請求項１又は請求項２に記載の景品吊り具において、
前記紐状固定部材は、前記景品の大きさに合わせて、ロックするロック部を備えること
を特徴とする景品吊り具。
【発明の詳細な説明】
【０００１】
【発明の属する技術分野】
本発明は、紐なし景品を吊り下げる景品吊り具に関するものである。
【０００２】
【従来の技術】
従来、景品取得ゲーム機は、景品バーに、紐付き景品を吊るしておき、落下させるタイプと、置かれ又は積まれた景品（紐なし景品）をクレーンでつかむタイプとに大別される。
【０００３】
【発明が解決しようとする課題】
しかし、上述した紐なし景品は、景品バーにかけることができず、全てがクレーン式を中心とした一部のゲーム機への使用に限られてしまうので、活用の変化が乏しいものであった。
また、景品を製造後に、紐を新たに付ける場合には、見た目が悪く、景品又はパッケージに孔を空けなければならないこともあった。
このために、始めから紐が付いている景品と、付いていない景品とを分けて、それぞれのゲーム機に使用しているのが現状である。
【０００４】
本発明の目的は、紐なし景品をゲーム機の景品掛け部材に吊り下げることができる景品吊り具を提供することである。
【０００５】
【課題を解決するための手段】
前記課題を解決するために、請求項１の発明は、吊り具本体（１１）と、前記吊り具本体に取り付けられる紐状固定部材（１２）とを含み、紐なし景品を吊り下げる景品吊り具であって、前記吊り具本体（１１）は、前記景品の背側にあたる背当て部（１１ａ）と、前記背当て部に設けられゲーム機の景品掛け部材に掛けるフック部（１１ｂ）と、前記背当て部に設けられ前記紐状固定部材を取り付ける取付部（１１ｃ）とを備え、前記紐状固定部材（１２）は、前記景品の側部に掛ける側部固定部（１２ａ）と、前記景品の底部に掛ける底部固定部（１２ｂ）を備えることを特徴とする景品吊り具である。
【０００６】
請求項２の発明は、請求項１に記載の景品吊り具において、前記吊り具本体は、前記取付部が前記背当て部の複数個所（１１ｃ−１，１１ｃ−２，１１ｃ−３）に設けられており、前記紐状固定部材の取付位置を選択できることを特徴とする景品吊り具である。
【０００７】
請求項３の発明は、請求項１又は請求項２に記載の景品吊り具において、前記紐状固定部材は、伸縮性があることを特徴とする景品吊り具である。
【０００８】
請求項４の発明は、請求項１又は請求項２に記載の景品吊り具において、前記紐状固定部材は、前記景品の大きさに合わせて、ロックするロック部（４３，４４）を備えることを特徴とする景品吊り具である。
【０００９】
【発明の実施の形態】
以下、図面などを参照しながら、本発明の実施の形態をあげて、さらに詳細に説明する。
（第１実施形態）
図１は、本発明による景品吊り具の第１実施形態を示す図である。
第１実施形態の景品吊り具１０は、吊り具本体１１と、紐状固定部材１２とを備えている。
吊り具本体１１は、景品の背面に当たり、景品が正面に向き、前側に垂れないようにするプラスチックシートや厚紙製などの背当て部１１ａと、この背当て部１１ａの上部に形成され、ゲーム機の景品バー（図２の２０）に掛けるためのフック部１１ｂと、背当て部１１ａの上下方向の３か所に形成され、紐状固定部材１２の取付位置を選択して取り付けることができる取付孔１１ｃ（１１ｃ−１，１１ｃ−２，１１ｃ−３）などとを備えている。
【００１０】
紐状固定部材１２は、吊り具本体１１に景品をくくり付けるためのものであり、背当て部１１ａの取付孔１１ｃに取り付けられ、景品の側部に掛ける側部紐１２ａと、取付孔１１ｃと側部紐１２ａの中央に取り付けられ、景品の底部に掛け、景品の落下を防止する底部紐１２ｂとを備えている。
この実施形態では、紐状固定部材１２は、伸縮性のあるゴム紐（例えば、硬質ゴムと軟質ゴムを組み合わせた耐久性のあるゴム）が用いられており、図１（Ｂ）の矢印Ａ，Ｂのように、伸ばすことができ、景品の大きさや形状に係わらず、固定することができる。
【００１１】
また、紐状固定部材１２は、景品の大きさや形状によって、最も安定した位置で固定できるように、取付孔１１ｃ−１，１１ｃ−２，１１ｃ−３を選択して［図１（Ａ），（Ｃ），（Ｄ）］、取り付けることができる。この取り付けは、ゲーム機を設置した現場で行うことができる。
【００１２】
図２〜図４は、第１実施形態に係る景品吊り具の使用方法を示す図である。
図２に示すように、景品３１が比較的大きな縫いぐるみの場合には、図１（Ａ）に示すように、紐状固定部材１２を上段の取付孔１１ｃ−１に取り付け、縫いぐるみの首部分に、側部紐１２ａのみ（底部紐１２ｂは使用せず）をかけて、固定する。なお、図２（Ｂ）に示すように、取付位置を上段にしたので、フック部が目立たなくなる。
【００１３】
図３に示すように、景品３２が比較的小さい場合には、図１（Ｃ）に示すように、紐状固定部材１２を下段の取付孔１１ｃ−３に取り付け、縫いぐるみの股部分に、底部紐１２ｂを入れて［図３（Ａ）］、側部紐１２ａを胴部分まで上げて［図３（Ｂ）］、フィットさせる。
なお、小さい景品３２を取り付けるために、図３（Ｃ）に示すように、背当て部１１ａを上下方向に長さ調節できるようにしてもよい。また、この位置は、長身の景品や重心の低い景品の取り付けに適している。
【００１４】
図４に示すように、景品３３が立方体の箱の場合には、図１（Ｄ）に示すように、紐状固定部材１２を中段の取付孔１１ｃ−２に取り付け、側部紐１２ａを正面、背面、両側面に掛け［図４（Ａ）］、底部紐１２ｂを底面に掛けて［図４（Ｂ）］、景品３３が抜け落ちないように固定する。
また、紐状固定部材１２は、ゴム紐であるので、図４（Ｃ）に示すように、様々な形態で景品３３を固定することができる。
【００１５】
図５は、第１実施形態に係る景品吊り具の変形形態を示す図である。
景品吊り具１０Ａは、背当て部１１ａ−ａの幅を細くしたものである。また、景品吊り具１０Ｂは、背当て部１１ａ−ｂの幅をやや広くしたものであり、景品吊り具１０Ｃは、背当て部１１ａ−ｃの幅をさらに広くしたたものである。これらは、景品によって適宜選択することができる。背当て部１１ａは、景品によって隠れるほうが好ましく、また、幅が広いほうが吊り下げた場合に安定する。
景品吊り具１０Ａは、背当て部１１ａ−ｄをハート形にしたものであり、チョコレート等を吊るして、バレンタイン用の景品などにすることができる。この場合には、背当て部１１ａ−ｄの形状を積極的に見せるようにしたものであり、景品を浮き立たせるために、さらに、デザイン化されていてもよい。
【００１６】
以上説明したように、本実施形態によれば、紐なし景品に取り付けて、景品バー式のゲーム機に設置することができる。このとき、紐状固定部材は、景品の大きさなどによって、背当て部への取付位置を選択でき、また、ゴム紐であるので伸縮して、種々の形態の景品に柔軟に対応できる。
【００１７】
大型の景品に吊り下げることよって、それらが景品バー式のゲーム機で使用できるなど様々な視点で活用することができる。このとき、大小様々な景品が使用できるので、ゲーム機の各盤面において、色々派手な演出が可能となる。そして、それにより、画面に変化が付き、ゲームに対する興味が増進する。
また、人形タイプを始め、箱入り景品や変形タイプまでの様々な景品に、１種類の景品吊り具によって対応することができる。
【００１８】
（第２実施形態）
図６は、本発明による景品吊り具の第２実施形態を示す図である。
なお、以下に説明する実施形態では、前述した第１実施形態と同様な機能を果たす部分には、末尾を統一した符号を付して重複する説明を適宜省略する。
第２実施形態の景品吊り具４０は、帯（テープ）状の紐状固定部材４２を用いて、その紐状固定部材４２を景品の大きさに合わせてロックするロック部４３を設けたものである。
【００１９】
ロック部４３は、面状ファスナー（商品名：マジックテープ）を用いており、図６（Ｂ）に示すように、側部紐４２ａと底部紐４２ｂの両方に設けられており、面状ファスナーの凸部４３ａと凹部４３ｂ［図６（Ｃ）］を係合することにより、景品の大きさに合わせて、ロックすることができる。
第２実施形態によれば、紐状固定部材４２にロック部４３を設けたので、色々な大きさの景品を、確実に固定することができる。
【００２０】
図７は、第２実施形態に係る景品吊り具の変形形態を示す図である。
この景品吊り具４０Ａでは、ロック部４４は、鋸状凸部４４ａと、その鋸状凸部４４ａに係合する係合輪部４４ｂとから構成されている。
ロックするときには、紐状固定部材４２長さを調整し、鋸状凸部４４ａを矢印Ｄの方向から、係合輪部４４ｂに通せば［図７（Ｂ）］、鋸状凸部４４ａと係合輪部４４ｂとが係合してロックされ、景品は下がってこない［図７（Ｃ）］。
ロックを外すときには、係合輪部４４ｂの両脇をつまんで、矢印Ｅの方向に押せば［図７（Ｄ）］、係合輪部４４ｂが矢印Ｇの方向に浮いて、矢印Ｆの方向に引き抜いて、簡単に取り外すことができる［図７（Ｅ）］。
【００２１】
（変形形態）
以上説明した実施形態に限定されることなく、種々の変形や変更が可能であって、それらも本発明の均等の範囲内である。
例えば、図３（Ｃ）では、背当て部の長さを調節できると説明したが、例えば、背当て部を上下２つに分割して、図７のロック部のような構造によって、結合すれば、容易に長さ調節ができる。
また、背当て部に、マトリクス状に多数の取付孔を形成しておけば、取付位置をさらに柔軟に選択することができる。
【００２２】
【発明の効果】
以上説明したように、本発明によれば、以下のような種々の効果がある。
（１）吊り具本体に紐状固定部材を取り付けた構造であるので、景品の形態や大きさなど係わらず、紐なし景品を景品掛け部材に吊るすことができる。
【００２３】
（２）吊り具本体は、背当て部を有するので、くくり付けた景品が前側に垂れることがない。
（３）紐状固定部材は、側部固定部と底部固定部があるので、景品を簡単に取り付けられるとともに、落下する心配もない。
【００２４】
（４）紐状固定部材に伸縮性をもたせれば、景品の形態や大きさに係わらず、取り付けができる。
（５）背当て部に、紐状固定部材の取り付け位置を選択できるようにすれば、景品の形態や大きさに応じて、安定した位置で固定することができる。
（６）紐状固定部材にロック部を設けたので、紐状固定部材長さを調節した後にロックでき、確実に固定できる。
【図面の簡単な説明】
【図１】本発明による景品吊り具の第１実施形態を示す図である。
【図２】第１実施形態に係る景品吊り具の使用方法（大きな景品の場合）を示す図である。
【図３】第１実施形態に係る景品吊り具の使用方法（小さな景品の場合）を示す図である。
【図４】第１実施形態に係る景品吊り具の使用方法（直方体の景品の場合）を示す図である。
【図５】第１実施形態に係る景品吊り具の変形形態を示す図である。
【図６】本発明による景品吊り具の第２実施形態を示す図である。
【図７】第２実施形態に係る景品吊り具の変形形態を示す図である。
【符号の説明】
１１  吊り具本体
１１ａ  背当て部
１１ｂ  フック部
１１ｃ（１１ｃ−１，１１ｃ−２，１１ｃ−３）  取付孔
１２  紐状固定部材
１２ａ  側部紐
１２ｂ  底部紐
【図１】
0003769414.tif 000002
【図２】
0003769414.tif 000003
【図３】
0003769414.tif 000004
【図４】
0003769414.tif 000005
【図５】
0003769414.tif 000006
【図６】
0003769414.tif 000007
【図７】
0003769414.tif 000008